【手続補正書】
【提出日】平成26年12月12日(2014.12.12)
【手続補正１】
【補正対象書類名】特許請求の範囲
【補正対象項目名】全文
【補正方法】変更
【補正の内容】
【特許請求の範囲】
【請求項１】
プラズマプルームを発生するように構成されたプラズマ銃（４１２）と、
電気エネルギーを蓄積するように構成された少なくとも１つのキャパシタ（２１０、２１２）と、
前記プラズマ銃（４１２）および前記少なくとも１つのキャパシタ（２１０、２１２）に通信結合されたトリガ回路（３０４）であって、
第１の信号を生成して、前記少なくとも１つのキャパシタ（２１０、２１２）に、前記電気エネルギーの第１の部分を前記プラズマ銃（４１２）へ伝送させ、また、
第２の信号を生成して、前記プラズマ銃（４１２）に、前記電気エネルギーの前記第１の部分を用いて前記プラズマプルームを発生させるように構成されるトリガ回路（３０４）とを備える回路保護デバイス（１００）。
【請求項２】
前記プラズマ銃（４１２）が複数の電極（４１０）を備え、前記少なくとも１つのキャパシタ（２１０、２１２）が、前記電気エネルギーの前記第１の部分を前記複数の電極（４１０）に伝送するように構成された少なくとも１つの第１のキャパシタ（２１０）を備える請求項１記載の回路保護デバイス（１００）。
【請求項３】
前記少なくとも１つのキャパシタ（２１０、２１２）が、前記電気エネルギーの第２の部分を蓄積し前記第２の信号を前記複数の電極（４１０）に伝送するように構成された第２のキャパシタ（２１２）をさらに備え、前記複数の電極（４１０）が、前記第２の信号に応答して、前記電気エネルギーを用いて前記プラズマプルームを発生するように構成される請求項２記載の回路保護デバイス（１００）。
【請求項４】
前記トリガ回路（３０４）が、イグニションコイル（４２８）を備え、前記イグニションコイル（４２８）は、前記少なくとも１つのキャパシタ（２１０、２１２）に通信結合され、前記電気エネルギーの第２の部分を用いて前記第２の信号をパルスとして前記プラズマ銃（４１２）に伝送するように構成される請求項１乃至３のいずれかに記載の回路保護デバイス（１００）。
【請求項５】
前記トリガ回路（３０４）が、前記電気エネルギーの前記第１の部分が前記プラズマ銃（４１２）に伝送された後に、あらかじめ選択された期間にわたって前記第２の信号の伝送を遅らせるように構成されたタイマ（４２０）を備える請求項１乃至４のいずれかに記載の回路保護デバイス（１００）。
【請求項６】
前記トリガ回路（３０４）が、前記少なくとも１つのキャパシタ（２１０、２１２）に通信結合された少なくとも１つのパルストランス（４２２、４２４）を備え、前記少なくとも１つのパルストランス（４２２、４２４）は、
障害を示す信号を受け取り、
前記第１の信号を前記少なくとも１つのキャパシタ（２１０、２１２）に伝送して、前記少なくとも１つのキャパシタ（２１０、２１２）に、前記電気エネルギーの第１の部分を前記プラズマ銃（４１２）へ伝送させ、
前記第２の信号を前記プラズマ銃（４１２）に伝送するように構成される請求項１乃至５のいずれかに記載の回路保護デバイス（１００）。
【請求項７】
前記トリガ回路（３０４）が、前記少なくとも１つのキャパシタ（２１０、２１２）および前記少なくとも１つのパルストランス（４２２、４２４）に通信結合された少なくとも１つの論理デバイス（４０６、４０８）をさらに備え、前記少なくとも１つの論理デバイス（４０６、４０８）は、
前記少なくとも１つのパルストランス（４２２、４２４）から前記第１の信号および前記第２の信号を受け取り、
前記第１の信号を前記少なくとも１つのキャパシタ（２１０、２１２）に伝送して、前記少なくとも１つのキャパシタ（２１０、２１２）に、前記電気エネルギーの第１の部分を前記プラズマ銃（４１２）へ伝送させ、
前記第２の信号を前記プラズマ銃（４１２）に伝送するように構成される請求項６記載の回路保護デバイス（１００）。
【請求項８】
前記トリガ回路（３０４）が、前記少なくとも１つのキャパシタ（２１０、２１２）と前記少なくとも１つのパルストランス（４２２、４２４）とに通信結合されたブリードオフデバイス（４１４）をさらに備え、前記ブリードオフデバイス（４１４）は、前記電気エネルギーが前記第１の信号の伝送に先立って前記プラズマ銃（４１２）に伝送されるのを防止するように構成される請求項６記載の回路保護デバイス（１００）。
【請求項９】
プラズマ銃（４１２）を有する回路保護デバイス（１００）とともに使用するコントローラ（１０８）であって、
複数のキャパシタであって、
前記プラズマ銃（４１２）に電気エネルギーの第１の部分を供給するように構成された複数の第１のキャパシタ（２１０）と、
前記プラズマ銃（４１２）に前記電気エネルギーの第２の部分を供給し、前記プラズマ銃（４１２）に伝送されてプラズマプルームを生成させるパルスを生じさせるように構成された第２のキャパシタ（２１２）とを含む複数のキャパシタと、
前記複数のキャパシタに通信結合されたトリガ回路（３０４）であって、
障害を示す検出信号を受け取り、
前記複数の第１のキャパシタ（２１０）に、前記電気エネルギーの前記第１の部分を前記プラズマ銃（４１２）へ伝送させ、
前記第２のキャパシタ（２１２）に前記電気エネルギーの前記第２の部分を供給し、前記プラズマ銃（４１２）に伝送させるパルスを発生するように構成されたトリガ回路（３０４）とを備えるコントローラ（１０８）。
【請求項１０】
前記トリガ回路（３０４）が、前記複数の第１のキャパシタ（２１０）および検出回路に通信結合された第１のパルストランス（４２２）を備え、前記第１のパルストランス（４２２）は、前記検出回路から前記障害を示す信号を受け取り、第１の信号を前記複数の第１のキャパシタ（２１０）へ伝送して、前記電気エネルギーを前記プラズマ銃（４１２）へ伝送するように構成される請求項９記載のコントローラ（１０８）。
【請求項１１】
前記トリガ回路（３０４）が、前記第２のキャパシタ（２１２）および前記検出回路に通信結合された第２のパルストランス（４２４）をさらに備え、前記第２のパルストランス（４２４）は、前記検出回路から前記障害を示す信号を受け取り、前記第２のキャパシタ（２１２）に第２の信号を伝送して、前記プラズマ銃（４１２）に前記パルスを伝送するように構成される請求項１０記載のコントローラ（１０８）。
【請求項１２】
前記トリガ回路（３０４）が、前記第２のパルストランス（４２４）に通信結合されたタイマ（４２０）をさらに備え、前記タイマ（４２０）は、前記障害を示す信号を前記検出回路から受け取り、前記第１のパルストランス（４２２）が前記第１の信号を伝送してからあらかじめ選択された期間の後に、前記第２のパルストランス（４２４）に前記第２の信号を伝送するように構成される請求項１１記載のコントローラ（１０８）。
【請求項１３】
前記トリガ回路（３０４）が、
前記複数の第１のキャパシタ（２１０）と前記第１のパルストランス（４２２）とに通信結合された第１の論理デバイス（４０６）であって、前記第１のパルストランス（４２２）から前記第１の信号を受け取り、前記複数の第１のキャパシタ（２１０）に、前記電気エネルギーを前記プラズマ銃（４１２）へ伝送させるように構成された第１の論理デバイス（４０６）と、
前記第２のキャパシタ（２１２）と前記第２のパルストランス（４２４）とに通信結合された第２の論理デバイス（４０８）であって、前記第２のパルストランス（４２４）から前記第２の信号を受け取り、前記パルスを前記プラズマ銃（４１２）へ伝送するように構成された第２の論理デバイス（４０８）とをさらに備える請求項１１記載のコントローラ（１０８）。
【請求項１４】
前記トリガ回路（３０４）が、イグニションコイル（４２８）を備え、前記イグニションコイル（４２８）は、前記第２のキャパシタ（２１２）に通信結合され、前記第２のキャパシタ（２１２）によって蓄積された電気エネルギーを用いて前記パルスを生成するように構成される請求項９乃至１３のいずれかに記載のコントローラ（１０８）。
【請求項１５】
前記トリガ回路（３０４）が、前記プラズマ銃（４１２）から前記複数のキャパシタへの電流の流れを防止するように構成された少なくとも１つの阻止ダイオード（４２６）を備える請求項９乃至１４のいずれかに記載のコントローラ（１０８）。